(57)【要約】【課題】部品点数の減少及び組付作業の簡素化を図ることができる遊技機の図柄表示装置を提供すること。【解決手段】各図柄表示ユニット３は、モータブラケット１３に、リールドラム９と干渉しない扁平な配線ガイド部材１０を取付け、配線２９，３５，５３を配線ガイド部材１０で一括して束ねてリールドラム９の外部に引き出すよう構成される。【選択図】図９
2006296673.tif 000002
【特許請求の範囲】
【請求項１】
複数の図柄表示ユニットを収納ケース内に所定間隔を置いて互いに隣接させて収納するようにした遊技機の図柄表示装置であって、
前記各図柄表示ユニットは、複数種類の図柄を表示可能な図柄表示体と、該図柄表示体の内側に配置され、該図柄表示体を回転及び停止させる駆動手段と、前記図柄表示体の回転軸に対して垂直な保持面で前記駆動手段を保持する板状の駆動手段保持体と、前記図柄表示体の内側に配置される、発光手段を備えた基板と、前記駆動手段及び前記基板にそれぞれ接続された配線を有して構成される遊技機の図柄表示装置において、
前記駆動手段保持体に、前記図柄表示体と干渉しない扁平な配線ガイド部材を取付け、前記配線を該配線ガイド部材で一括して束ねて前記図柄表示体の外部に引き出すよう構成したことを特徴とする遊技機の図柄表示装置。
【請求項２】
前記配線ガイド部材は弾性係止片を備え、該配線ガイド部材は、前記弾性係止片を前記駆動手段保持体に形成された係止孔に係止させることで前記駆動手段保持体に取り付けられることを特徴とする請求項１に記載の遊技機の図柄表示装置。
【請求項３】
前記配線ガイド部材は、一対の薄板状対面プレート部を有する断面コ字状の深溝形収容部を備え、図柄表示体側の薄板状対面プレート部の外面は、前記駆動手段保持体の前記保持面と略同一平面を形成し、かつ、前記配線は、前記一対の薄板状対面プレート部により形成される空間に並列して挿入されることを特徴とする請求項２に記載の遊技機の図柄表示装置。
【発明の詳細な説明】
【技術分野】
【０００１】
本発明は、遊技機の図柄表示装置、詳しくは、パチンコ遊技機、スロットマシンなど遊技機において、複数の図柄表示ユニットが収納ケース内に所定間隔を置いて互いに隣接して収納された図柄表示装置に関する。
【背景技術】
【０００２】
パチンコ遊技機やスロットマシン等の遊技機では、ドラム式図柄表示装置が用いられることが多く、ドラム式図柄表示装置は、通常、収納ケースの内部に複数（多くの場合３つ）の回転表示体（回転ドラム）を並列に配置し、３つの回転表示体による横３列、斜め２列からなる５つの表示ラインによって当たりかはずれかの表示を行っている。
【０００３】
ところで、近年、遊技者に対する視覚的な装飾効果を高めるために回転表示体を大型化する傾向があり、回転表示体を大型化した場合、図柄表示装置の遊技盤後方への突出量が大きくなり、既存の設置箇所例えばパチンコ島に遊技機を設置したときに、互いに背面対向する遊技機同士が干渉し合い、遊技機を設置できなくなるという不具合が生じる。
【０００４】
そこで、従来、図柄表示体の内側に、図柄表示体を回転及び停止させる駆動手段を配置した図柄表示装置が知られている（例えば、特許文献１参照）。
【特許文献１】特開平６−２４６０４５号公報
【発明の開示】
【発明が解決しようとする課題】
【０００５】
しかし、上記従来技術によると、外部の基板から駆動手段等への給電を行うためにプリント配線基板及びコネクタを設けると共に、配線が回転表示体と干渉しないようにするためにプリント配線基板に配線押え部を設けており（[００２４]参照）、部品点数が多く、組付作業が煩雑になるなどの問題がある。
【０００６】
本発明は、上記のような従来技術の問題点を解決し、部品点数の減少及び組付作業の簡素化を図ることができる遊技機の図柄表示装置を提供することを目的とする。
【課題を解決するための手段】
【０００７】
本発明の遊技機の図柄表示装置は、複数の図柄表示ユニットを収納ケース内に所定間隔を置いて互いに隣接させて収納するようにした遊技機の図柄表示装置であって、前記各図柄表示ユニットは、複数種類の図柄を表示可能な図柄表示体と、該図柄表示体の内側に配置され、該図柄表示体を回転及び停止させる駆動手段と、前記図柄表示体の回転軸に対して垂直な保持面で前記駆動手段を保持する板状の駆動手段保持体と、前記図柄表示体の内側に配置される、発光手段を備えた基板と、前記駆動手段及び前記基板にそれぞれ接続された配線を有して構成される遊技機の図柄表示装置において、前記駆動手段保持体に、前記図柄表示体と干渉しない扁平な配線ガイド部材を取付け、前記配線を該配線ガイド部材で一括して束ねて前記図柄表示体の外部に引き出すよう構成したことを特徴とする。
【０００８】
本発明の図柄表示装置によると、従来技術のようなプリント配線基板及びコネクタを設けず、配線ガイド部材によって配線を一括して束ねて外部に引き出すようにしたため、部品点数の減少及び組付作業の簡素化を図ることができる。
【０００９】
ここで、前記配線ガイド部材は弾性係止片を備え、該配線ガイド部材は、前記弾性係止片を前記駆動手段保持体に形成された係止孔に係止させることで前記駆動手段保持体に取り付けられる。このように、駆動手段保持体には係止孔を設けるだけの簡単な加工を施すだけで済むため、駆動手段保持体自体に配線ガイド部を設ける場合と比べ、駆動手段保持体に対する加工をきわめて簡単化することができる。
【００１０】
また、前記配線ガイド部材は、一対の薄板状対面プレート部を有する断面コ字状の深溝形収容部を備え、図柄表示体側の薄板状対面プレート部の外面は、前記駆動手段保持体の前記保持面と略同一平面を形成し、かつ、前記配線は、前記一対の薄板状対面プレート部により形成される空間に並列して挿入される。このように、一対の薄板状対面プレート部に形成される空間に配線を並列して挿入することにより、配線ガイド部材の厚さを十分に小さく設定することができる。また、図柄表示体側の薄板状対面プレート部の外面を駆動手段保持体の保持面と略同一平面にすることにより、配線ガイド部材は、図柄表示体と干渉することなく配線を保持することができる。
【発明を実施するための最良の形態】
【００１１】
以下、本発明の実施形態を図面に基づいて説明する。
【００１２】
図１は、本発明の一実施形態に係る図柄表示装置が組み込まれたパチンコ遊技機の正面図、図２は、同図柄表示装置の正面図、図３は、同図柄表示装置の側面図、図４は、図３図示IV-IV線による切欠き断面図、図５は、同図柄表示装置の各図柄表示ユニットにおける組付体の斜視図、図６は、同図柄表示ユニットの分解斜視図、図７〜図９は、配線ガイド部材に配線を取り付ける一連の取付方法を説明するための側面図をそれぞれ示す。
【００１３】
図１において、パチンコ遊技機は、遊技球が打ち込まれる遊技領域１で囲まれた箇所にドラム式の図柄表示装置２を配設している。
【００１４】
図柄表示装置２は、図２〜図４に示すように、複数（本実施形態では３つ）の図柄表示ユニット３を収納ケース４内に所定間隔を置いて互いに隣接させて収納して構成される。収納ケース４の前面には開口部５が形成されており、この開口部５から各図柄表示ユニット３のリールドラム（図柄表示体）９に表示されている図柄が露出し、遊技者に見えるようになっている。また、収納ケース４の背面には、放熱口７が複数形成されている。
【００１５】
各図柄表示ユニット３は、図５に示すように、組付体８とリールドラム９とプラスチック製配線ガイド部材１０とから構成される。
【００１６】
組付体８は、図６に示すように、リールドラム９を回転及び停止するステッピングモータ（駆動手段、以下単にモータという。）１１と、モータ１１、ライトリクレクタ１２などが取り付けられる板状の金属製モータブラケット（駆動手段保持体）１３とを備える。
【００１７】
モータブラケット１３は、リールドラム９の回転軸に対して垂直な保持面１４を有する。
【００１８】
モータ１１は、モータブラケット１３の保持面１４にセットされ、反対側の面からねじ１５を孔１６に通し、ねじ１５をステータ１７のねじ孔（図には現れない）にねじ込むことによってモータブラケット１３に固着される。
【００１９】
モータ１１の出力軸１８には、この出力軸１８にリールドラム９を取着するためのリールフランジ１９がねじ２０によって固定されている。
【００２０】
ライトリクレクタ１２は、その基部２１を、モータブラケット１３の保持面１４のモータ１１よりも前方に位置する部位に位置決め孔２２を利用してセットし、基部２１の孔（図には現れない）にねじ２３を挿通してモータブラケット１３の孔２４にねじ込むことによってモータブラケット１３に固着される。ライトリクレクタ１２は３つの反射壁部２５を有し、各反射壁部２５の中央部に２つの孔２６が形成されている。各反射壁部２５の２つの孔２６には、LED基板２７に実装された２つのLED２８が挿通される。各LED基板２７は、反射壁部２５の背面側に固定される。各LED基板２７には、配線２９が接続されるコネクタ３０が実装されている。
【００２１】
さらに、モータブラケット１３の保持面１４には、ねじ３１によってスイッチブラケット３２が固定される。スイッチブラケット３２には、スイッチ基板３３がねじ３４によって固定される。スイッチ基板３３には、配線３５が接続されるコネクタ３６、及び、モータ１１の原点位置を検出するための原点位置検出スイッチ３７が実装されている。
【００２２】
また、モータブラケット１３の前端部には、リールマスク３８の係止爪部３９をモータブラケット１３の係止孔部４０に係止させてリールマスク３８が取り付けられている。
【００２３】
リールドラム９は、ねじ４１を取付板部４２の孔４３に通し、リールフランジ１９のねじ孔４４にねじ込むことによりリールフランジ１９に固着される。
【００２４】
配線ガイド部材１０は、一対の薄板状対面プレート部４５，４６を有する断面コ字状の深溝形収容部４７を備える。この深溝形収容部４７の基部４８には、３つの弾性係止片４９が延設されている。配線ガイド部材１０は、各弾性係止片４９をモータブラケット１３に形成された係止孔５０に係止させることによりモータブラケット１３に取り付けられる。この取付位置は、配線ガイド部材１０がリールドラム９の端面５１と対向する位置である。リールドラム９側の薄板状対面プレート部４５の外面５２は、モータブラケット１３の保持面１４と略同一平面を形成する。
【００２５】
次に、図７〜図９に基づいて、配線ガイド部材１０に配線２９，３５，５３を取り付ける一連の取付方法を説明する。
【００２６】
配線ガイド部材１０をモータブラケット１３に取り付けた後、図７に示すように、一対の薄板状対面プレート部４５，４６により形成される空間に、スイッチ基板３３に接続された配線３５を並列的に挿入し、次に、図８に示すように、上記空間に、モータ１１に接続された配線５３を並列的に挿入し、最後に、図９に示すように、上記空間に、LED基板２７に接続された配線２９を並列的に挿入する。その後、接着テープ５４を貼って、配線２９，３５，５３が配線ガイド部材１０から抜け落ちないようにする。
【００２７】
上記のように配線ガイド部材１０に保持され、リールドラム９の外部に引き出された配線２９，３５，５３は、収納ケース４に配設されたコントロール基板５５（図４）に接続される。
【００２８】
以上説明したように、本実施形態の図柄表示装置２は、複数の図柄表示ユニット３を収納ケース４内に所定間隔を置いて互いに隣接させて収納するようにした図柄表示装置である。各図柄表示ユニット３は、複数種類の図柄を表示可能なリールドラム（図柄表示体）９と、リールドラム（図柄表示体）９の内側に配置され、リールドラム（図柄表示体）９を回転及び停止させるステッピングモータ（駆動手段）１１と、リールドラム（図柄表示体）９の回転軸に対して垂直な保持面１４でステッピングモータ（駆動手段）１１を保持する板状のモータブラケット（駆動手段保持体）１３と、リールドラム（図柄表示体）９の内側に配置される、LED（発光手段）２８を備えたLED基板（基板）２７と、ステッピングモータ（駆動手段）１１、LED基板２７及びスイッチ基板（基板）３３にそれぞれ接続された配線２９，３５，５３を有して構成される。そして、この図柄表示装置２は、モータブラケット（駆動手段保持体）１３に、リールドラム（図柄表示体）９と干渉しない扁平な配線ガイド部材１０を取付け、配線２９，３５，５３を配線ガイド部材１０で一括して束ねてリールドラム（図柄表示体）９の外部に引き出すよう構成した。
【００２９】
本実施形態の図柄表示装置２によると、従来技術のようなプリント配線基板及びコネクタを設けず、配線ガイド部材１０によって配線２９，３５，５３を一括して束ねて外部に引き出すようにしたため、部品点数の減少及び組付作業の簡素化を図ることができる。
【００３０】
また、配線ガイド部材１０は弾性係止片４９を備え、配線ガイド部材１０は、弾性係止片４９をモータブラケット（駆動手段保持体）１３に形成された係止孔５０に係止させることでモータブラケット（駆動手段保持体）１３に取り付けられる。このように、モータブラケット（駆動手段保持体）１３には係止孔５０を設けるだけの簡単な加工を施すだけで済むため、モータブラケット（駆動手段保持体）１３自体にプレス加工等によって配線ガイド部を設ける場合と比べ、モータブラケット（駆動手段保持体）１３に対する加工をきわめて簡単化することができる。
【００３１】
また、配線ガイド部材１０は、一対の薄板状対面プレート部４５，４６を有する断面コ字状の深溝形収容部４７を備え、リールドラム（図柄表示体）９側の薄板状対面プレート部４５の外面５２は、モータブラケット（駆動手段保持体）１３の保持面１４と略同一平面を形成し、かつ、配線２９，３５，５３は、一対の薄板状対面プレート部４５，４６により形成される空間に並列して挿入される。このように、一対の薄板状対面プレート部４５，４６に形成される空間に配線２９，３５，５３を並列して挿入することにより、配線ガイド部材１０の厚さを十分に小さく設定することができる。また、リールドラム（図柄表示体）９側の薄板状対面プレート部４５の外面５２をモータブラケット（駆動手段保持体）１３の保持面１４と略同一平面にすることにより、配線ガイド部材１０は、リールドラム（図柄表示体）９と干渉することなく配線２９，３５，５３を保持することができる。
【図面の簡単な説明】
【００３２】
【図１】本発明の一実施形態に係る図柄表示装置が組み込まれたパチンコ遊技機の正面図である。
【図２】同図柄表示装置の正面図である。
【図３】同図柄表示装置の側面図である。
【図４】図３図示IV-IV線による切欠き断面図である。
【図５】同図柄表示装置の各図柄表示ユニットにおける組付体の斜視図である。
【図６】同図柄表示ユニットの分解斜視図である。
【図７】配線ガイド部材に配線を取り付ける一連の取付方法を説明するための側面図である。
【図８】同じく、配線ガイド部材に配線を取り付ける一連の取付方法を説明するための側面図である。
【図９】同じく、配線ガイド部材に配線を取り付ける一連の取付方法を説明するための側面図である。
【符号の説明】
【００３３】
２    図柄表示装置
３    図柄表示ユニット
４    収納ケース
９    リールドラム（図柄表示体）
１０    配線ガイド部材
１１    ステッピングモータ（駆動手段）
１３    モータブラケット（駆動手段保持体）
１４    保持面
２７    LED基板（基板）
２９    配線
３３    スイッチ基板（基板）
３５    配線
４５    リールドラム（図柄表示体）９側の薄板状対面プレート部
４６    薄板状対面プレート部
４７    深溝形収容部
４９    弾性係止片
５０    係止孔
５２    薄板状対面プレート部４５の外面
５３    配線
【図１】
2006296673.tif 000003
【図２】
2006296673.tif 000004
【図３】
2006296673.tif 000005
【図４】
2006296673.tif 000006
【図５】
2006296673.tif 000007
【図６】
2006296673.tif 000008
【図７】
2006296673.tif 000009
【図８】
2006296673.tif 000010
【図９】
2006296673.tif 000011